(57)【要約】      （修正有）【課題】視覚的な影響極力抑え、設置の際にれんが積みまたは石積み作業を必要としない巻上げ式映写スクリーンを提供する。【解決手段】巻上げ式映写スクリーンは、支持体１１と、巻上げローラと、この巻上げローラに巻回される映写シート２４とを備えている。支持体１１は、上面である水平支持面１７と、壁に係合される垂直係合面１８とを有している。このように、巻上げ式映写スクリーンの支持体１１自体が家具調度品となる。この支持体１１を、例えば棚のような形状に形成してもよいし、吊り棚の底部として用いてもよい。【選択図】図１
2007241292.tif 000002
【特許請求の範囲】
【請求項１】
支持体１１と、巻上げローラ２３と、前記巻上げローラ２３に巻回される映写シート２４とを備えた巻上げ式映写スクリーンにおいて、
前記支持体１１が、その上面である水平支持面１７と、壁に係合される垂直係合面１８とを有していることを特徴とする巻上げ式映写スクリーン。
【請求項２】
請求項１において、前記支持体１１が箱形であり、回転自在に設けられた前記巻上げローラ２３を収容する内部空間１４と、前記映写シート２４が通る開口部１５とを有する巻上げ式映写スクリーン。
【請求項３】
請求項２において、前記巻上げ式映写スクリーンは、前記映写シート２４における前記巻上げローラ２３から離れた位置である、前記映写シート２４の縁部に固定されたグリップロッド２５を有しており、前記グリップロッド２５および開口部１５の形状および寸法は、前記映写シート２４が完全に巻き上げられたとき、前記グリップロッド２５が前記支持体２４の外側で前記開口部１５にはまり込むように設定されている巻上げ式映写スクリーン。
【請求項４】
請求項３において、前記開口部１５が、前記垂直係合面１８とは反対側の前面２８に設けられて、前記支持体１１に沿って延びている巻上げ式映写スクリーン。
【請求項５】
請求項３または４において、前記グリップロッド２５の長手方向における長さが、前記支持体１１の長手方向における長さと等しい巻上げ式映写スクリーン。
【請求項６】
請求項１ないし５のいずれか一項において、前記水平支持面１７が前記支持体１１の上面全体に渡って延びている巻上げ式映写スクリーン。
【請求項７】
請求項１ないし６のいずれか一項において、前記垂直係合面１８が前記壁に取り付けるための手段を有している巻上げ式映写スクリーン。
【請求項８】
請求項３ないし７のいずれか一項において、前記支持体１１における前記開口部１５の近傍部分に、前記グリップロッド２５を受け入れる受入座が設けられており、前記グリップロッド２５および受入座の形状および寸法は、前記映写シート２４が完全に巻き上げられたとき、前記グリップロッド２５が完全に前記受入座に収容されるように設定された巻上げ式映写スクリーン。
【発明の詳細な説明】
【技術分野】
【０００１】
本発明は、巻上げ式映写スクリーンに関する。
【背景技術】
【０００２】
ビデオ映写システムを含む家庭用の複雑なビデオシステムが急速に広まりつつあることは知られている。これらのシステムでは、（テレビ受信機、コンピュータ、ビデオ録画器、ＤＶＤプレイヤーや他のビデオ装置からの）ビデオ映像が、ビデオ映写機によって、壁や、映写された映像の質の確保が可能な光学的特性を有するシートから形成された適切なスクリーンに映写される。
【０００３】
シートが壁に掛けられた適切なフレームに引張り状態で取り付けられている固定式スクリーン、およびシートが通常箱形のカバー兼支持体内のローラに巻回される巻上げ式スクリーンの両方が知られている。
【０００４】
固定式スクリーンは、家庭で使用されていないとき、視覚的に不愉快であり、いずれにせよ部屋のインテリアを損なうため、家庭用として好まれないことが多い。
【０００５】
しかしながら、巻上げ式スクリーンに欠点が無いわけではない。なぜなら、かなりの大きさであり、したがって視覚的な影響が大きい箱形の巻上げ機を位置決めする必要があるからである。この巻上げ機を天井に設置すれば、視覚的な悪影響は僅かだけであるが緩和される。
【０００６】
箱形巻上げ機を内蔵する内蔵式アセンブリは、スクリーンを用いていないとき、スクリーンの視覚的な悪影響を大きく緩和させることができる。しかしながら、そのようなアセンブリは複雑なうえ、設置のために多額の費用がかかるれんが積みまたは石積み作業（masonry work）を必要とするため、設置工事中は住人に多大な不便がかかる。
【発明の開示】
【発明が解決しようとする課題】
【０００７】
本発明の目的は、視覚的な影響を極力抑え、設置の際にれんが積みまたは石積み作業を必要としない巻上げ式映写スクリーンを提供することである。
【課題を解決するための手段】
【０００８】
本発明は、請求項１に記載のスクリーンに関する。本発明の好ましい特長は従属請求項に示されている。
【０００９】
本発明は、特に、支持体と、巻上げローラと、この巻上げローラに巻回される映写シートとを備えた巻上げ式映写スクリーンにおいて、前記支持体が、上面である水平支持面と、壁に係合される垂直係合面とを含むことを特徴としている。
【００１０】
このように、巻上げ式スクリーンの支持体自体が家具調度品となり、この支持体を、例えば、棚のような形状としてもよいし、または吊り棚の底部分として用いることもできる。
【００１１】
好ましくは、前記支持体は、箱形であり、前記巻上げローラが回転自在に設けられた内部空間と、前記映写シートが通る開口部とを有している。前記支持体をこのように構成することで、前記巻上げローラを完全に視界から隠すことができる。
【００１２】
好ましくは、前記映写スクリーンは、前記映写シートにおける前記巻上げローラから離れた位置である、前記映写シートの縁部に固定されたグリップロッドを有している。このグリップロッドおよび前記開口部の形状および寸法は、映写シートが完全に巻き上げられたとき、グリップロッドが前記支持体の外側で開口部にはまり込むように設定されている。
【００１３】
戻りばねが前記映写シートを前記巻上げローラに巻き回すために設けられた手動式巻き上げの場合、グリップロッドは、前記映写シートを戻りばねの作用に抗して引き出すために掴む箇所となると共に、前記映写シートの巻上げの際に前記開口部に当接することで巻上げ限界を示すために用いられている。他方、電動モータが前記巻上げローラに前記映写シートを巻き上げる、または前記巻上げローラから前記映写シートを引き出す方向に前記巻上げローラを回転させるのに設けられているモータ式巻上げの場合、グリップロッドは、前記映写シートの巻上げの際に前記開口部に当接することで巻上げ限界を示すために用いられる。
【００１４】
好ましくは、前記開口部は、前記支持体における、前記垂直係合面が形成された背面とは反対側の前面に前記支持体の長手方向に沿って延びている。前記開口部を前記支持体の端部に形成することで、巻上げ式映写スクリーンを、映写シートの存在を隠すことが可能な家具調度品の形状とすることができる。
【００１５】
さらに、好ましくは、前記グリップロッドの長手方向における長さは、前記支持体の長手方向における長さと等しい。この構成により、さらに、映写シートの存在を隠すことができる。
【００１６】
好ましくは、前記水平支持面は前記支持体の上面全体に渡って延びている。したがって、前記支持体は、壁に固定された棚のような形状に形成することができる。
【００１７】
好ましくは、前記垂直係合面は、一般的な棚と同様に、壁に取り付けるための手段を有する。
【００１８】
本発明の巻上げ式映写スクリーンのさらなる特徴および利点は、添付図面に示す本発明の好ましい実施形態の以下の説明で明らかになるであろう。
【発明を実施するための最良の形態】
【００１９】
巻上げ式映写スクリーン１０は、例えば、金属の押出し成形により形成された箱形の支持体１１を有する。支持体１１には、外部からは見えない２つの第１内部空間１２，１２、および支持体１１の長手方向（左右方向）に延びる開口部１５を有する第２内部空間１４が形成されている。また、第１内部空間１２と第２内部空間１４の間は、第１隔壁１３で仕切られ、２つの第１内部空間１２，１２間は、垂直な第２隔壁１６で仕切られている。支持体１１は棚のような形状に形成されており、この支持体１１に、上面となる水平支持面１７と、壁に係合される垂直係合面１８とが形成されている。
【００２０】
水平支持面１７および垂直係合面１８は支持体１１の全体に渡って延びている。図示の映写スクリーン１０では、水平支持面１７上に何も設けていないが、仕切りや本立てのような、支持体１１の長手方向と直交する横方向（前後方向）に延びる垂直な部材、または前側保持部材もしくは後側保持部材のような、支持体１１の長手方向に延びる垂直な部材を、水平支持面１７上に設けることができる。このように、水平支持面１７が支持体１１の上面全体にわたって延びているので、支持体１０を物品棚または本棚として利用できる。垂直係合面１８には、例えば、壁に固定されたフックまたは留めブラケット（図示せず）に係合可能な形状を有する固定座２０（この例では凹所）のような壁取付け手段が設けられている。
【００２１】
映写シート２４が巻回されるローラ２３は、第２内部空間１４内に回転自在に収容されており、映写シート２４におけるローラ２３から離れた位置である、映写シート２４の縁部にグリップロッド２５が強固に固定されている。ローラ２３には、それ自体が回転するための、したがって、映写シート２４を巻上げるための公知の手段、例えば、図では概略的に示されている戻りばね２７が設けられている。さらに、支持体１１の内部に電動モータを設けることによって、ローラ２３を電動式にすることもできる。
【００２２】
映写シート２４は、第２内部空間１４から開口部１５を通って引き出され、グリップロッド２５は、映写シート２４が完全に巻き上げられたとき、内部空間１４の外側に位置し、支持体１１の外側で開口部１５にはまり込む。この状態で、グリップロッド２５は支持体１１から外部に露出する。
【００２３】
映写シート２４を支持体１１に収納するために、支持体１１の長手方向における長さは、映写シート２４の長手方向における長さよりも大きくする必要がある。そのため、支持体１１の長手方向における長さを、映写シート２４の長手方向における長さよりも僅かだけ大きくしてもよいし、かなり大きくしてもよい。特に、映写シート２４の長手方向における長さがビデオ映写の映写条件に基づいて選択されるのに対し、支持体１１の長手方向における長さは、部屋の他の家具調度品に応じて選択される。
【００２４】
支持体１１の長手方向における長さが映写シート２４のそれよりもかなり大きい場合には、開口部１５の長手方向における長さを、映写シート２４が開口部１５を通るのに十分なだけ映写シート２４の長手方向における長さよりも僅かに大きくする。また、開口部１５の長手方向における長さを、支持体１１の長手方向における長さと等しくしてもよい。いずれの場合でも、支持体１１に収納される映写シート２４を視界から隠すために、グリップロッド２５の長さは支持体の長手方向における長さと等しくするのが好ましい。この場合、言うまでもないが、グリップロッド２５の形状は、映写シート２４が巻き上げられたときにグリップロッド２５がはめ込まれる開口部１５の長手方向における実際の長さを考慮して決定される。
【００２５】
図示していない変形例として、グリップロッド２５を受け入れる受入座（abutment seat）を、支持体１１における開口部１５の近傍部分に設けてもよい。また、グリップロッド２５および受入座は、映写シート２４が完全に巻き上げられたときにグリップロッド２５が完全に前記受入座の中に隠れた状態となる形状とすることができる。この場合、取っ手、ノブ、つまみ等の把持部材をグリップロッド２５に設けるのがよい。
【００２６】
映写シート２４が通る開口部１５の位置は、上面となる水平支持面１７とは反対側の底面、または垂直係合面１８とは反対側の面２８である前面上である。開口部１５は前面２８に形成するのが好ましい。なぜなら、映写シート２４が巻き上げられたときにグリップロッド２５が支持体１１と一体になると、支持体１１の前縁がせり出した形状となるため、審美的観点から好ましく、またグリップロッド２５を容易に把持することができるからである。
【００２７】
なお、本発明による巻上げ式映写スクリーン１０では、その映写シート２４は、天井に取り付けられる従来の巻上げ式映写スクリーンよりも通常低い位置に取り付けられる。実際、ほとんどの部屋では、映写エリアは天井の近傍ではなく、天井よりもかなり低い位置である。従来の巻上げ式映写スクリーンでは、映写シートは天井にまで届くほどの寸法とする必要がある。一方、本発明の巻上げ式映写スクリーン１０では、映写シート２４は映写条件に応じた適宜の寸法にすることができ、したがって、映写シートの使用されない部分、つまり映写エリアから外れた天井に近い、映写シートの上部を無駄にすることはない。
【００２８】
添付の請求項に包含される本発明の範囲から逸脱することなく、巻上げ式映写スクリーン１０の変形および変更が実行可能であることは理解されるであろう。例えば、支持体１１を、棚のような形状とする代わりに、吊り棚の本体部分として用いることが可能な形状としてもよい。
【図面の簡単な説明】
【００２９】
【図１】図１は、本発明の巻上げ式映写スクリーンの斜視図であり、映写スクリーンを引き出した状態を示している。
【図２】図１の巻上げ式映写スクリーンの断面図であり、映写シートを部分的に引き出した状態を示している。
【図３】図１の巻上げ式映写スクリーンの斜視図であり、映写シートを完全に巻き上げた状態を示している。
【符号の説明】
【００３０】
１０  巻上げ式映写スクリーン
１１  箱形支持体
１５  開口部
１７  水平支持面
１８  垂直係合面
２３  ローラ
２４  映写シート
２５  グリップロッド
２７  戻りばね
【図１】
2007241292.tif 000003
【図２】
2007241292.tif 000004
【図３】
2007241292.tif 000005